(57)【要約】【課題】録画された複数のコンテンツをソート又はグループ化してコンテンツ選択画面として提供する従来のデータ処理装置では、ソート又はグループ内のコンテンツを羅列して表示するだけであるので、コンテンツ数が増加するとユーザが所望のコンテンツを検索するのに時間がかかるという課題があった。【解決手段】コンテンツ選択画像データ生成部４が、テンプレート画像データ記憶部３に記憶されるテンプレート画像の領域にコンテンツを対応付け、その領域に対応付けたコンテンツの内部メタデータを表示させたコンテンツ選択画像データを生成する。【選択図】  図１
2014053063.tif 000002
【特許請求の範囲】
【請求項１】
テンプレート画像のデータが記憶されるテンプレート画像データ記憶部と、
コンテンツと前記コンテンツの内部メタデータとが記憶されるコンテンツ情報記憶部と、
前記コンテンツ情報記憶部から取得した前記コンテンツを前記テンプレート画像データ記憶部から取得した前記テンプレート画像上の領域に対応付け、前記コンテンツが対応付けられた前記テンプレート画像上の前記領域に前記コンテンツの前記内部メタデータを表示させたコンテンツ選択用画像のデータを生成するデータ生成部とを備えることを特徴とするデータ処理装置。
【請求項２】
前記データ生成部は、複数の前記コンテンツを前記テンプレート画像上の複数の領域に対応付け、前記コンテンツが対応付けられた前記テンプレート画像上の前記複数の領域それぞれに前記コンテンツの前記内部メタデータを表示させることを特徴とする請求項１に記載のデータ処理装置。
【請求項３】
前記コンテンツ選択用画像に対応付けられた前記コンテンツのうちいずれかの前記コンテンツが選択された場合に、前記コンテンツ情報記憶部に記憶される前記選択されたコンテンツを外部の表示装置に表示させるよう制御する制御部を備えることを特徴とする請求項１又は２に記載のデータ処理装置。
【請求項４】
前記テンプレート画像データは、図形、表、文字又はこれらの組み合わせの画像についてのデータであることを特徴とする請求項１乃至３のいずれかに記載のデータ処理装置。
【請求項５】
前記テンプレート画像データは、トーナメント表、リーグ戦の勝敗表、カレンダー、又は地図のいずれかの画像についてのデータであることを特徴とする請求項１乃至４のいずれかに記載のデータ処理装置。
【請求項６】
コンテンツの外部メタデータが付与されたテンプレート画像データを受信するネットワーク通信部と、
録画されたコンテンツと前記録画コンテンツの内部メタデータとが記憶されるコンテンツ情報記憶部と、
前記コンテンツ情報記憶部に記憶される前記内部メタデータと前記外部メタデータとを比較するメタデータ比較部と、
前記メタデータ比較部の比較結果に基づき、前記外部メタデータに対応する前記内部メタデータを有する前記コンテンツを、前記テンプレート画像上のうち前記外部メタデータが表示された領域に対応付けてコンテンツ選択画像データを生成するデータ生成部とを備えることを特徴とするデータ処理装置。
【請求項７】
テンプレート画像を選択する第１のステップと、
選択された複数のコンテンツを前記テンプレート画像上の複数の領域に対応付ける第２のステップと、
前記コンテンツが対応付けられた前記テンプレート画像上の前記複数の領域のそれぞれに前記対応付けられた前記コンテンツの内部メタデータを表示させたコンテンツ選択用画像を生成する第３のステップとを有することを特徴とするデータ処理方法。
【発明の詳細な説明】
【技術分野】
【０００１】
本発明は、録画したコンテンツをユーザが探しやすくするためのコンテンツ選択画面用の画像データを生成するデータ処理装置及びデータ処理方法に関する。
【背景技術】
【０００２】
近年、ＨＤＤ（Ｈａｒｄ  Ｄｉｓｋ  Ｄｒｉｖｅ）レコーダなど大容量の記録装置の普及に伴い、録画されるコンテンツ数も飛躍的に増加している。そのため、ユーザに対し、大量のコンテンツから所望のコンテンツを容易に見つけることができるようなコンテンツ選択画面を提供することが必要となっている。
【０００３】
例えば特許文献１の画像記録再生装置においては、録画された複数のコンテンツをジャンル別、または録画された曜日別にソートしたコンテンツ選択画面を表示している。また、特許文献２のデータ処理装置においては、電子化されたテレビ番組表である電子番組ガイド（ＥＰＧ：Ｅｌｅｃｔｒｏｎｉｃ  Ｐｒｏｇｒａｍ  Ｇｕｉｄｅ）のタイトルに関するデータを形態素解析し、その解析結果に基づいて複数のコンテンツをグループ化しコンテンツ選択画面として表示している。
【先行技術文献】
【特許文献】
【０００４】
【特許文献１】特開２００５−４９５９号公報
【特許文献２】特開２００８−３１０９３９号公報
【発明の概要】
【発明が解決しようとする課題】
【０００５】
しかしながら、上記のようにソート又はグループ化してコンテンツ選択画面を提供する場合であっても、ソートされた複数コンテンツ又はグループ内の複数コンテンツが単に羅列して表示されるだけであるので、コンテンツ数が増加すると、ユーザは所望のコンテンツを容易に見つけられず、検索に時間がかかるという課題があった。
【０００６】
本発明は、上述した課題を解決するためになされたものであり、ユーザが所望のコンテンツを容易に見つけることができるコンテンツ選択画面用の画像データを生成するデータ処理装置及びデータ処理方法を提供することを目的とする。
【課題を解決するための手段】
【０００７】
本発明に係るデータ処理装置は、テンプレート画像のデータが記憶されるテンプレート画像データ記憶部と、コンテンツと前記コンテンツの内部メタデータとが記憶されるコンテンツ情報記憶部と、前記コンテンツ情報記憶部から取得した前記コンテンツを前記テンプレート画像データ記憶部から取得した前記テンプレート画像上の領域に対応付け、前記コンテンツが対応付けられた前記テンプレート画像上の前記領域に前記コンテンツの前記内部メタデータを表示させたコンテンツ選択用画像のデータを生成するデータ生成部とを備えることを特徴とする。
【０００８】
また、本発明に係るデータ処理装置は、コンテンツの外部メタデータが付与されたテンプレート画像データを受信するネットワーク通信部と、録画されたコンテンツと前記録画コンテンツの内部メタデータとが記憶されるコンテンツ情報記憶部と、前記コンテンツ情報記憶部に記憶される前記内部メタデータと前記外部メタデータとを比較するメタデータ比較部と、前記メタデータ比較部の比較結果に基づき、前記外部メタデータに対応する前記内部メタデータを有する前記コンテンツを、前記テンプレート画像上のうち前記外部メタデータが表示された領域に対応付けてコンテンツ選択画像データを生成するデータ生成部とを備えることを特徴とする。
【０００９】
また、本発明に係るデータ処理方法は、テンプレート画像を選択する第１のステップと、選択された複数のコンテンツを前記テンプレート画像上の複数の領域に対応付ける第２のステップと、前記コンテンツが対応付けられた前記テンプレート画像上の前記複数の領域のそれぞれに前記対応付けられた前記コンテンツの内部メタデータを表示させたコンテンツ選択用画像を生成する第３のステップとを有することを特徴とする。
【発明の効果】
【００１０】
本発明のデータ処理装置及びデータ処理方法によれば、テンプレート画像の領域にコンテンツを対応付け、その領域に対応付けたコンテンツの内部メタデータを表示するので、ユーザは所望のコンテンツを容易に見つけることが可能となる。
【図面の簡単な説明】
【００１１】
【図１】実施の形態１に係るデータ処理装置の構成を示す図。
【図２】実施の形態１に係るテンプレート画像の例を示す図。
【図３】実施の形態１に係るコンテンツ一覧表を示す図。
【図４】実施の形態１に係る動作を示すフローチャート。
【図５】実施の形態１に係るコンテンツの内部メタデータが表示されたテンプレート画像を示す図。
【図６】実施の形態１に係るコンテンツ選択画像を示す図。
【図７】実施の形態１に係るコンテンツ選択画像の他の例を示す図。
【図８】実施の形態１に係るコンテンツ選択画像の他の例を示す図。
【図９】実施の形態１に係るコンテンツ選択画像の他の例を示す図。
【図１０】実施の形態２に係るデータ処理装置の構成を示す図。
【図１１】実施の形態２に係る動作を示すフローチャート。
【発明を実施するための形態】
【００１２】
実施の形態１．
以下図面を用いて本発明の実施の形態１を説明する。図１は実施の形態１に係るデータ処理装置の構成を示す図である。図２は実施の形態１に係るテンプレート画像の例を示す図である。図３は実施の形態１に係るコンテンツ一覧表を示す図である。図４は実施の形態１に係る動作を示すフローチャートである。図５は実施の形態１に係るコンテンツの内部メタデータが表示されたテンプレート画像を示す図である。図６は実施の形態１に係るコンテンツ選択画像を示す図である。図７は実施の形態１に係るコンテンツ選択画像の他の例を示す図である。図８は実施の形態１に係るコンテンツ選択画像の他の例を示す図である。図９は実施の形態１に係るコンテンツ選択画像の他の例を示す図である。
【００１３】
図１に示すように、データ処理装置１００は、受信部１と、コンテンツ・メタデータ記憶部（コンテンツ情報記憶部）２と、テンプレート画像データ記憶部３と、コンテンツ選択画像データ生成部（データ生成部）４と、映像音声再生部５と、送信部６と、制御部７とを備える。データ処理装置１００は録画再生装置自体であってもよく、その場合は例えばＨＤＤレコーダにより実現される。また、データ処理装置１００は、地図データを利用し目的地までの経路案内を行うナビゲーション装置や、ＳＴＢ（Ｓｅｔ  Ｔｏｐ  Ｂｏｘ）、ＰＣ（Ｐｅｒｓｏｎａｌ  Ｃｏｍｐｕｔｅｒ）であってもよい。データ処理装置１００は表示装置であるディスプレイ及びスピーカ２００と接続され、ディスプレイ及びスピーカ２００は、データ処理装置１００から出力されるデータに基づき、映像及び音声を出力する。
【００１４】
受信部１は、例えばチューナ等により実現され、データ処理装置１００の外部から入力される放送波を受信し、画像データ、音声データ、文字データ又はこれらが組み合わされたデータであるコンテンツと、コンテンツに関連する情報が含まれる内部メタデータとを取得する。なお、放送波にはＥＰＧが含まれる。受信部１は、ＥＰＧのうちの一部の情報を文書解析することにより、例えばコンテンツのタイトル、放送日時、放送局名、放送チャンネル、出演者、コンテンツ内容、等の内部メタデータを取得する。
【００１５】
なお、受信部１は放送波に限らず、例えばインターネットからのストリーミング又はダウンロードによるコンテンツをコンテンツ・メタデータ記憶部２に記憶するようにしてもよい。その場合、受信部１は直接インターネット接続される構成ではなく、ゲートウェイ、ルータ等を介してインターネットと接続される構成であってもよい。
【００１６】
コンテンツ・メタデータ記憶部２には、受信部１で受信されたコンテンツ、つまり録画されたコンテンツとそのコンテンツの内部メタデータが記憶される。コンテンツと内部メタデータとは紐付けて記憶される。なお、内部メタデータは、データ処理装置１００の内部であるコンテンツ・メタデータ記憶部２に記憶されるため、「内部」と表現している。
【００１７】
テンプレート画像データ記憶部３には、予め作成されたテンプレート画像のデータが記憶される。テンプレート画像は、所定の図形、表、文字又はこれらの組み合わせ等を表す画像であって、コンテンツを対応付け（紐付け）、コンテンツの内部メタデータを表示するための画像である。図２に示すようなトーナメント表の画像は、テンプレート画像の一例である。
【００１８】
なお、テンプレート画像については、予め作成されたものをテンプレート画像データ記憶部３に記憶するようにしてもよいし、ユーザにより作成されたものを用いるようにしてもよい。ユーザは、例えば画像作成ソフトウエアを用いてテンプレート画像を作成したり、ＨＴＭＬ（Ｈｙｐｅｒ  Ｔｅｘｔ  Ｍａｒｋｕｐ  Ｌａｎｇｕａｇｅ）等のマークアップ言語を用いてテンプレート画像を作成できる。また、予め作成されたテンプレート画像を修飾又は加筆したものをテンプレート画像として記憶してもよい。
【００１９】
コンテンツ選択画像データ生成部４は、コンテンツ・メタデータ記憶部２に記憶されるコンテンツを、テンプレート画像データ記憶部３に記憶されるテンプレート画像の所定の領域に対応付ける。また、コンテンツ選択画像データ生成部４は、コンテンツが対応付けられたテンプレート画像上の所定の領域に、対応付けられたコンテンツの内部メタデータを表示させコンテンツ選択画像データを生成する。コンテンツ選択画像データは、ユーザがコンテンツを選択（再生指示）する際に、ディスプレイに表示させるための画像データである。コンテンツ選択画像データ生成部４は、生成したコンテンツ選択画像データを送信部６に出力する。
【００２０】
映像音声データ再生部５は、コンテンツ・メタデータ記憶部２に記憶されるコンテンツを取得して映像・音声データを再生し、送信部６に出力する。
【００２１】
送信部６は、コンテンツ選択画像データ生成部４で生成されたコンテンツ選択画像データ、又は、映像音声データ再生部５により再生された映像・音声データを、外部機器であるディスプレイ及びスピーカ２００に送信する。
【００２２】
制御部７は、外部からの指示信号が入力されると、その指示内容に基づく制御処理を、コンテンツ選択画像データ生成部４又は映像音声再生部５に対して行なう。指示信号は、リモコン等を用いたユーザによる操作があった場合に制御部７に入力される。ここで、ユーザによる操作とは、例えばテンプレート画像の選択、コンテンツの再生指示等の操作が該当する。これらの詳細な説明については後述する。
【００２３】
次に、図１乃至図６を用いて本発明の実施の形態１の動作について説明する。
【００２４】
ユーザがリモコン等を用いてコンテンツ一覧表の表示操作を行うと、ディスプレイには、図３に示すようなコンテンツ一覧表が表示される。コンテンツ一覧表には、これまでユーザが録画した、スポーツ、ドラマ、アニメ、情報、のようにジャンルが異なる複数のコンテンツが一覧表示されている。以降では、一例として、ジャンル「スポーツ」のコンテンツ「夏の高校野球」についてのコンテンツ選択画像データを生成する処理について説明する。テンプレート画像としては、図２に示すトーナメント表の画像が用いられるものとする。なお、ユーザは、キーワード「高校野球」又は日時等でコンテンツ一覧表のフィルタリングを行ってからコンテンツを選択してもよい。
【００２５】
図４において、まず、ユーザは、複数のテンプレート画像からトーナメント表のテンプレート画像の選択を行う（ステップＳ１０１）。テンプレート画像の選択方法については、例えばリモコンに専用のボタンを設けて選択してもよいし、コンテンツ一覧表にテンプレート画像選択用のメニューを設けてそこから選択してもよい。
【００２６】
ユーザによりトーナメント表のテンプレート画像が選択されると、その選択操作に基づく指示信号が制御部７に入力される。指示信号が入力されると、制御部７は制御信号をコンテンツ選択画像データ生成部４に出力する。制御信号が入力されると、コンテンツ選択画像データ生成部４は、ユーザにより選択されたテンプレート画像データ（トーナメント表の画像データ）をテンプレート画像データ記憶部３から選択して取得する。
【００２７】
次に、ユーザは、コンテンツ一覧表からコンテンツを選択する（ステップＳ１０２）。ここでは、ユーザは、コンテンツＡ１「夏の高校野球  １回戦  Ａ高校  ｖｓ  Ｂ高校」を選択する。
【００２８】
ユーザによりコンテンツＡ１が選択されると、コンテンツ選択操作に基づく指示信号が制御部７に入力される。指示信号が入力されると、制御部７は制御信号をコンテンツ選択画像データ生成部４に出力する。制御信号が入力されると、コンテンツ選択画像データ生成部４は、ユーザにより選択されたコンテンツＡ１の内部メタデータをコンテンツ・メタデータ記憶部２から選択して取得する（ステップＳ１０３）。ここでは、内部メタデータとして「高校名」、「試合日時」、及び「試合結果（スコア）」が取得されるものとする。なお、内部メタデータの取得は、ユーザが手動で行ってもよいし、装置内で自動的に行ってもよい。
【００２９】
コンテンツ選択画像データ生成部４は、図５に示すように、テンプレート画像の所定領域Ｂ１に、ステップＳ１０２で選択されたコンテンツＡ１を対応付け、領域Ｂ１にコンテンツＡ１の内部メタデータを表示させる（ステップＳ１０４、Ｓ１０５）。つまり、図５に示すトーナメント表の画像において、ブロック内に「Ａ高校」、「Ｂ高校」の内部メタデータが表示され、さらに試合日時である「8/7」、試合結果である「3対5」の内部メタデータが表示される。また、勝者であるＢ高校については、トーナメントの線が太く表示される。ここで、領域Ｂ１にコンテンツＡ１を対応付けるとは、ユーザが領域Ｂ１をリモコン、マウス等で選択する操作を行った場合にコンテンツＡ１が再生されるようにリンク付けされることをいい、例えばＪａｖａ（登録商標）でのＧＵＩ（Ｇｒａｐｈｉｃａｌ  Ｕｓｅｒ  Ｉｎｔｅｒｆａｃｅ）プログラミングの技術を用いることにより実現可能である。
【００３０】
なお、コンテンツＡ１の内部メタデータは必ず領域Ｂ１内でのみ表示されなければならないというものではない。例えば領域Ｂ１が内部メタデータである「Ａ高校」及び「Ｂ高校」が表示されたブロックの領域であって、内部メタデータの一部（例えば「8/7」、「3対5」）が領域Ｂ１外で表示されるようにしてもよい。すなわち、トーナメント表の画像上の領域Ｂ１にコンテンツＡ１の内部メタデータを表示させるということは、少なくともユーザがトーナメント表を見てコンテンツＡ１を再生指示するための領域Ｂ１が視覚的、直感的に推測できるように、領域Ｂ１付近にコンテンツＡ１の内部メタデータを表示させるということに相当する。
【００３１】
図４に戻って、トーナメント表の画像に対応付けるコンテンツがなくコンテンツの選択を終了する場合（ステップＳ１０６−Ｙｅｓ）、送信部６は、図５の画像をコンテンツ選択画像としてそのデータをディスプレイ及びスピーカ２００に送信する（ステップＳ１０７）。トーナメント表に対応付けるコンテンツがありコンテンツの選択を終了しない場合（ステップＳ１０６−Ｎｏ）、ステップＳ１０２からＳ１０５の処理を再度繰り返す。
【００３２】
ステップＳ１０２からＳ１０５までの処理を繰り返して、ユーザが図３に示すコンテンツＡ２「夏の高校野球  １回戦  Ｃ高校  ｖｓ  Ｄ高校」、コンテンツＡ３「夏の高校野球  １回戦  Ｅ高校  ｖｓ  Ｆ高校」、コンテンツＡ４「夏の高校野球  １回戦  Ｇ高校  ｖｓ  Ｈ高校」を選択したとすると、コンテンツＡ１が選択された場合と同様の処理がなされ、コンテンツ選択画像データ生成部４で最終的に生成されるコンテンツ選択画像は図６に示すようになる。
【００３３】
図６に示すように、コンテンツＡ１と同様に、コンテンツＡ２、Ａ３、Ａ４についてもトーナメント表の画像にそれぞれ対応付けられ、各コンテンツの内部メタデータが所定の領域Ｂ２、Ｂ３、Ｂ４に表示されている。なお、ユーザは、トーナメント表にタイトル「第８０回夏の高校野球大会」を入力することもできる。
【００３４】
なお、例えばユーザがコンテンツＡ４を未視聴であった場合に、コンテンツ選択画像データ生成部４は、未視聴であることを示す内部メタデータに基づき、その試合結果を非表示にしてもよい。その場合、図６で示すように、試合結果は「？」と表示される。こうすることにより、ユーザが実際にコンテンツを視聴する前に、未視聴のコンテンツの内容を知ってしまうことを防ぐことができる。
【００３５】
なお、試合が未実施の場合、例えばコンテンツＡ４について、内部メタデータは存在するがコンテンツ自体は存在しない場合、ユーザが領域Ｂ４を選択することによりＥＰＧ画面に遷移し、録画予約を行うことができる構成にしてもよい。
【００３６】
送信部６は、このように生成された図６の画像をコンテンツ選択画像として、そのデータをディスプレイ及びスピーカ２００に送信する（ステップＳ１０７）。
【００３７】
図６に示すようなコンテンツ選択画像がディスプレイで表示され、ユーザが領域Ｂ１を選択、つまりコンテンツＡ１の再生指示操作を行う場合について説明する。ユーザが例えばリモコンにより領域Ｂ１を選択したり、マウスにより領域Ｂ１のいずれかを選択したり、又はタッチパネルにより領域Ｂ１を選択すると、制御部７には指示信号が入力され、制御部７は制御信号を映像音声再生部５に出力する。制御信号が入力された映像音声再生部５は、制御信号に基づき、コンテンツ・メタデータ記憶部２から、領域Ｂ１に対応付けられているコンテンツＡ１を取得し、コンテンツＡ１に対応する映像音声データを送信部６に出力する。そして、送信部６がディスプレイ及びスピーカ２００に映像音声データを送信することによりユーザはコンテンツＡ１を視聴することができる。つまり、制御部７は、ディスプレイで表示されたコンテンツ選択画面でユーザに選択されたコンテンツをディスプレイに表示させるよう制御を行う。
【００３８】
以上のように、本発明の実施の形態１によれば、テンプレート画像の所定領域にコンテンツを対応付け、その所定領域にコンテンツの内部メタデータを表示させたコンテンツ選択画像をユーザに提供するので、ユーザは所望のコンテンツを容易に見つけ、選択することが可能となる。
【００３９】
特に、コンテンツ選択画像では、図形等の画像により表されるテンプレート画像上の複数の領域に、対応付けられた各コンテンツの内部メタデータがそれぞれ表示されるので、複数のコンテンツ同士の関係が視覚的、直感的に分かり易くなる。そのためユーザは、録画コンテンツ数が増加しても、コンテンツ選択画像が表示されたディスプレイを一目見るだけで容易に所望のコンテンツを見つけることができ、素早くコンテンツ検索ができる。
【００４０】
なお、図３では、ユーザに選択されたコンテンツを１つずつテンプレート画像に対応付けて内部メタデータを表示させることとして説明を行ったが、これに限定されない。つまり、ユーザは複数のコンテンツを選択し、選択した複数のコンテンツをテンプレート画像の複数の領域に一度に対応付けて内部メタデータを表示させるようにしてもよい。
【００４１】
なお、これまで、データ処理装置１００のコンテンツ選択画像データ生成部４がコンテンツ・メタデータ記憶部２から内部メタデータを取得するようにしていたが、必ずしもこれに限定されるものではなく、ユーザにより入力された内部メタデータを用いるようにしてもよい。また、コンテンツ・メタデータ記憶部２から取得した内部メタデータの一部をユーザが修正するようにしてもよい。こうすることにより、例えばコンテンツ・メタデータ記憶部２に記憶される内部メタデータが誤っていた場合においても、修正されることにより、コンテンツ選択画像として表示される内部メタデータは正しいものとすることができる。
【００４２】
なお、受信部１は、ＥＰＧのうちの一部の情報を文書解析してから内部メタデータとしてコンテンツ・メタデータ記憶部２に記憶させることとしたが、必ずしもこれに限定されず、受信部１はＥＰＧの情報を文書解析せずにそのままコンテンツ・メタデータ記憶部２に記憶してもよい。その場合、コンテンツ選択画像データ生成部４が、コンテンツ・メタデータ記憶部２から取得したＥＰＧの情報を文書解析して内部メタデータとして取得してもよいし、別の処理ブロックで文書解析してからコンテンツ選択画像データ生成部４に出力してもよい。
【００４３】
また、内部メタデータの取得は、ＥＰＧのうちの一部の情報に限らず、例えば地上デジタル放送に付随する字幕、インターネット上の掲示板、ＳＮＳ（Ｓｏｃｉａｌ  Ｎｅｔｗｏｒｋｉｎｇ  Ｓｅｒｖｉｃｅ）情報であってもよい。旅行又は観光コンテンツであればコンテンツに含まれる画像中に映っているランドマークを認識して内部メタデータとしてもよい。ニュース又はスポーツのコンテンツであればコンテンツに含まれる画像中のテキスト情報や、ナレーション又はアナウンス等の音声信号に対して音声認識処理を行って内部メタデータとしてもよい。
【００４４】
なお、これまでテンプレート画像の一例として、図２に示すようなトーナメント表の画像を用いて説明したが、他の例としては、リーグ戦の勝敗表の画像、カレンダーの画像、又は地図画像を用いてもよい。リーグ戦の勝敗表の画像にコンテンツを対応付け、内部メタデータを表示させたコンテンツ選択画像は例えば図７に示す画像のようになる。ここでは、コンテンツ「日本対イラク戦」は、図７に示す領域Ｃ１に対応付けられており、コンテンツの内部メタデータとして「日本」、「イラク」、「1-1」が表示されている。ユーザが領域Ｃ１を選択すると、コンテンツ・メタデータ記憶部２に記憶されるコンテンツ「日本対イラク戦」が再生される。
【００４５】
カレンダーの画像にコンテンツを対応付け、内部メタデータを表示させたコンテンツ選択画像は例えば図８に示す画像のようになる。ここでは、コンテンツ「１００ｍ走」は領域Ｄ１に対応付けられ、内部メタデータとして「１００ｍ」が表示されている。領域Ｄ１は、内部メタデータ中の放送日時から、１日（水）に対応する領域に決定されてもよいし、ユーザが手動で決定してもよい。
【００４６】
地図画像にコンテンツを対応付け、内部メタデータを表示させたコンテンツ選択画像は例えば図９に示す画像のようになる。旅行又は観光コンテンツである「京都Ａ院」は領域Ｅ１に対応付けられ、内部メタデータとして「京都Ａ院」が表示され、また京都Ａ院の画像がサムネイルとして表示されている。
【００４７】
実施の形態２．
以下図面を用いて本発明の実施の形態２について説明する。図１０は実施の形態２に係るデータ処理装置の構成を示す図である。図１１は実施の形態２に係る動作を示すフローチャートである。
【００４８】
実施の形態２のデータ処理装置１１０は、図１０に示すように、新たにネットワーク通信部８と、外部メタデータ付テンプレート画像データ記憶部９と、メタデータ比較部１０とを備えている点において実施の形態１におけるデータ処理装置１００と異なる。なお、その他の構成については実施の形態１と同様であるので図１と同一の符号を付してその説明を省略する。
【００４９】
ネットワーク通信部８は、データ処理装置１１０外部のインターネットと通信を行い、テンプレート画像に、コンテンツに関連する情報を含む外部メタデータが予め付与された外部メタデータ付テンプレート画像データを受信し、外部メタデータ付テンプレート画像データ記憶部９に記憶する。外部メタデータ付テンプレート画像は、例えば実施の形態１で説明した図６の画像が該当するが、コンテンツとの対応付けは行われていない。
【００５０】
なお、外部メタデータ付テンプレート画像は、未視聴のユーザに配慮するために、スコアについては表示しないようにしてもよいし、スコアに関する外部メタデータを含めないようにしてもよい。この外部メタデータ付テンプレート画像のデータは、コンテンツ録画再生装置の販売事業者又は放送データのメタデータを扱う事業者等により提供されるサーバからダウンロードできる。
【００５１】
外部メタデータ付テンプレート画像データ記憶部９には、ネットワーク通信部８から出力された外部メタデータ付テンプレート画像データが記憶される。
【００５２】
メタデータ比較部１０は、コンテンツ・メタデータ記憶部２に記憶されるコンテンツの内部メタデータと、外部メタデータ付テンプレート画像データ記憶部９に記憶される外部メタデータ付テンプレート画像データの外部メタデータとを比較し、その比較結果をコンテンツ選択画像データ生成部４に出力する。
【００５３】
なお、外部メタデータは、データ処理装置１１０の外部で生成されるため、内部メタデータと区別して表現している。内部メタデータと外部メタデータとを総称して単にメタデータと表現してもよい。
【００５４】
次に、図１０及び図１１を用いて本発明の実施の形態２の動作について説明する。なお、コンテンツ・メタデータ記憶部２には、実施の形態１の図３に示すコンテンツとそれらコンテンツについての内部メタデータが記憶されているとして以下説明を行う。
【００５５】
まず、ユーザは、外部インターネットからダウンロードされ外部メタデータ付テンプレート画像データ記憶部９に記憶される外部メタデータ付テンプレート画像を選択する（ステップＳ２０１）。ここではユーザは、実施の形態１の図６のトーナメント表の画像を外部メタデータ付テンプレート画像として選択したものとする。
【００５６】
ユーザが外部メタデータ付テンプレート画像を選択、もしくはユーザが比較処理実行の操作を行うと、制御部７に指示信号が入力される。指示信号が入力された制御部７は、指示内容に基づき、メタデータ比較部１０に比較処理を行うよう制御するための制御信号を出力する。制御信号が入力されたメタデータ比較部１０は、ユーザが選択した外部メタデータ付テンプレート画像にて表示される外部メタデータと、コンテンツ・メタデータ記憶部２に記憶されるコンテンツの内部メタデータとを比較する（ステップＳ２０２）。
【００５７】
ここで外部メタデータは、例えば「Ａ高校」、「Ｂ高校」、「Ｃ高校」、「Ｄ高校」、「8/7」、「3対5」、等が該当する。一方、内部メタデータは、ＥＰＧ情報に基づくコンテンツの録画日時、チャンネル、ジャンル、タイトル等の内容を文書解析したものが該当する。なお、上記したように文書解析は受信部１が行うようにしてよいが、メタデータ比較部１０がコンテンツ・メタデータ記憶部２に記憶されるＥＰＧ情報を文書解析して内部メタデータとして取得するようにしてもよい。
【００５８】
メタデータ比較部１０は、内部メタデータのうち、コンテンツＡ１「夏の高校野球  １回戦  Ａ高校  ｖｓ  Ｂ高校」、コンテンツＡ２「夏の高校野球  １回戦  Ｃ高校  ｖｓ  Ｄ高校」、コンテンツＡ３「夏の高校野球  １回戦  Ｅ高校  ｖｓ  Ｆ高校」、コンテンツＡ４「夏の高校野球  １回戦  Ｇ高校  ｖｓ  Ｈ高校」に関する内部メタデータが、外部メタデータと一致すると判定し、その比較結果情報をコンテンツ選択画像データ生成部４に出力する。
【００５９】
つまり、メタデータ比較部１０は、外部メタデータのうち、「Ａ高校」、「Ｂ高校」、「8/7」、「3対5」等の情報と同じ情報を含む内部メタデータに紐付けられているコンテンツとしてコンテンツＡ１を特定し、また、「Ｃ高校」、「Ｄ高校」等の情報と同じ情報を含む内部メタデータに紐付けられているコンテンツとしてコンテンツＡ２を特定する。同様に、コンテンツＡ３、Ａ４を対応付けるべきコンテンツとして特定する。一方で、例えば、コンテンツ「Ｋちゃん」やコンテンツ「Ｌの部屋」等については、紐付けられた内部メタデータが、外部メタデータの情報と一致しないため、対応付けるべきコンテンツとして特定されない。なお、内部メタデータと外部メタデータとは完全に一致しなくてはならないわけではなく、例えば両者のうち一部の情報が一致すれば、コンテンツを対応付けるものとして判定してもよい。
【００６０】
コンテンツ選択画像データ生成部４は、メタデータ比較部１０での比較結果に基づき、外部メタデータ付テンプレート画像の外部メタデータが表示された複数の領域に、当該外部メタデータに対応する内部メタデータを有するコンテンツをそれぞれ対応付ける（ステップＳ２０３）。つまり、コンテンツ選択画像データ生成部４は、外部メタデータ付テンプレート画像の領域Ｂ１にコンテンツＡ１、領域Ｂ２にコンテンツＡ２、領域Ｂ３にコンテンツＡ３、領域Ｂ４にコンテンツＡ４をそれぞれ対応付けることにより、コンテンツ選択画像データとして完成させ、送信部６に出力する。
【００６１】
送信部６は、コンテンツ選択画像データ生成部４から出力されたコンテンツ選択画像データをディスプレイ及びスピーカに送信し（ステップＳ２０４）、ディスプレイにはコンテンツ選択画像が表示される。
【００６２】
以上のように、本発明の実施の形態２によれば、予め外部メタデータが付与されたテンプレート画像である外部メタデータ付テンプレート画像を利用し、その外部メタデータ付テンプレート画像に対応付けるべきコンテンツが自動で選択されるので、ユーザは対応付けるコンテンツを自身で選択する必要がなく、簡単にコンテンツ選択画像を生成することが可能となる。
【００６３】
なお、ユーザは、自身で作成した外部メタデータ付テンプレート画像のデータを、ネットワーク通信部８を通じて外部インターネット上のサーバにアップロードするようにしてもよい。
【符号の説明】
【００６４】
１  受信部、２  コンテンツ・メタデータ記憶部、３  テンプレート画像データ記憶部、４  コンテンツ選択画像データ生成部、５  映像音声再生部、６  送信部、７  制御部、８  ネットワーク通信部、９  外部メタデータ付テンプレート画像データ記憶部、１０  メタデータ比較部、１００、１１０  データ処理装置、２００  ディスプレイ及びスピーカ
【図１】
2014053063.tif 000003
【図２】
2014053063.tif 000004
【図３】
2014053063.tif 000005
【図４】
2014053063.tif 000006
【図５】
2014053063.tif 000007
【図６】
2014053063.tif 000008
【図７】
2014053063.tif 000009
【図８】
2014053063.tif 000010
【図９】
2014053063.tif 000011
【図１０】
2014053063.tif 000012
【図１１】
2014053063.tif 000013